【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
高周波信号を発生する信号発生装置と、
この信号発生装置に接続され、高周波信号を電力分配する機能と、この分配した信号各々に対して経路長差によって所定の経路遅延量を与える機能を共有した給電回路と、
この給電回路に接続され、この給電回路から出力した遅延高周波出力信号を特定の位相量に調整して電力増幅する機能を有する高周波モジュール系と、
この高周波モジュール系から出力した増幅高周波出力電波を空間へ放射する電波放射系とを具備したことを特徴とするフェーズドアレイアンテナ装置。
【請求項２】
高周波信号を発生する信号発生装置と、
この信号発生装置に接続され、高周波信号を電力分配する機能と、この電力分配した高周波信号の各々に対して経路長差によって所定の経路遅延量を与える機能を共有し、各々異なる遅延量を有する複数の給電回路を備えた給電回路系と、
この給電回路系の複数の給電回路にそれぞれ接続され、これらの給電回路から電力供給された高周波を特定の位相量に調整して電力増幅する機能を有する複数の高周波モジュールを有する高周波モジュール系と、
前記給電回路系の複数の給電回路の内、任意の給電回路を選択的に切替接続する走査制御器と、
前記任意の給電回路に接続された高周波モジュール系から出力された増幅高周波出力電波を空間へ放射する電波放射系とを具備したことを特徴とするフェーズドアレイアンテナ装置。
【請求項３】
前記給電回路系は、それぞれ異なる基準角の給電回路を選択的に高周波モジュール系へ接続し、選択された給電回路の電波ビーム走査角に応じて電波放射系から増幅高周波出力電波を空間へ放射するようにしたことを特徴とする請求項２記載のフェーズドアレイアンテナ装置。
【請求項４】
前記複数の給電回路は、電波ビーム走査角を基準角φθ°とする第１の給電回路と、電波ビーム走査角を基準角（φθ°＋α°）とする第２の給電回路と、電波ビーム走査角を基準角（φθ°−β°）とする第３の給電回路とを含むことを特徴とする請求項２または３に記載のフェーズドアレイアンテナ装置。
【請求項５】
前記走査制御器は、信号発生装置を給電回路系の任意の給電回路に選択的に接続される高周波信号入力制御部に制御信号を出力して切替制御することを特徴とする請求項２記載のフェーズドアレイアンテナ装置。
【請求項６】
空間から高周波電波を入力する電波受信系と、
この電波受信系から入力した高周波信号を電力増幅して特定の位相量に調整する高周波モジュール系と、
この高周波モジュール系から出力される高周波信号に対して、経路長差によって所定の遅延量を与える機能と、これらの遅延量が与えられた高周波信号を電力合成し、受信処理系へ出力する機能を備えた給電回路とを具備したことを特徴とするフェーズドアレイアンテナ装置。
【請求項７】
空間から高周波電波を入力する電波受信系と、この電波受信系から入力した高周波信号を電力増幅して特定の位相量に調整する高周波モジュール系と、
この高周波モジュール系から出力される高周波信号に対して、経路長差によって所定の遅延量を与える機能を共有し、各々異なる遅延量を有する複数の給電回路を備えた給電回路系と、この給電回路系から出力される電力合成された遅延高周波出力信号を入力する受信処理系とを具備したことを特徴とするフェーズドアレイアンテナ装置。
【請求項８】
前記複数の給電回路のうち、第１の給電回路は電波ビーム走査角を基準角θ°とし、第２の給電回路は電波ビーム走査角を基準角（φθ°＋α°）とし、第３の給電回路は電波ビーム走査角を基準角（φθ°−β°）とすることを特徴とする請求項７記載のフェーズドアレイアンテナ装置。
【請求項９】
前記第２の給電回路による電波ビーム走査角（φθ°＋α°）を＋３０°に、前記第３の給電回路による電波ビーム走査角（φθ°−β°）を−３０°にそれぞれ設定したことを特徴とする請求項４または８記載のフェーズドアレイアンテナ装置。
【請求項１０】
高周波信号を発生する信号発生装置と、
この信号発生装置に接続され、高周波信号を電力分配する機能と、この分配した信号の各々に対して経路長差によって所定の経路遅延量を与える機能を共有した一方の給電回路系と、この給電回路系に接続され、この給電回路系から出力した高周波信号を所定の位相量に調整して電力増幅する機能を有する一方の高周波モジュール系と、
この一方の高周波モジュール系から出力した増幅高周波出力電波を空間へ放射する電波放射系と、
空間から高周波入力電波を受信する電波受信系と、
この電波受信系から入力した高周波入力電波を電力増幅して所定の位相量に調整する他方の高周波モジュール系と、
この他方の高周波モジュール系から出力した遅延高周波入力信号に対して、経路長差によって所定の遅延量を与える機能と、これらの遅延量が与えられた高周波信号を電力合成する機能を備えた他方の給電回路系と、
この他方の給電回路系から出力される、電力合成された遅延高周波出力信号を入力する受信処理系とを具備したことを特徴とするフェーズドアレイアンテナ装置。
【手続補正２】
【補正対象書類名】明細書
【補正対象項目名】００１１
【補正方法】変更
【補正の内容】
【００１１】
上記目的を達成するために、請求項６記載の発明によれば、空間から高周波電波を入力する電波受信系と、この電波受信系から入力した高周波信号を電力増幅して特定の位相量に調整する高周波モジュール系と、この高周波モジュール系から出力される高周波信号に対して、経路長差によって所定の遅延量を与える機能と、これらの遅延量が与えられた高周波信号を電力合成し、受信処理系へ出力する機能を備えた給電回路とを備える。
【手続補正３】
【補正対象書類名】明細書
【補正対象項目名】００１２
【補正方法】変更
【補正の内容】
【００１２】
上記目的を達成するために、請求項７記載の発明によれば、空間から高周波電波を入力する電波受信系と、この電波受信系から入力した高周波信号を電力増幅して特定の位相量に調整する高周波モジュール系と、この高周波モジュール系から出力される高周波信号に対して、経路長差によって所定の遅延量を与える機能を共有し、各々異なる遅延量を有する複数の給電回路を備えた給電回路系と、この給電回路系から出力される電力合成された遅延高周波出力信号を入力する受信処理系とを備える。
【手続補正４】
【補正対象書類名】明細書
【補正対象項目名】００１３
【補正方法】変更
【補正の内容】
【００１３】
上記目的を達成するために、請求項１０記載の発明によれば、高周波信号を発生する信号発生装置と、この信号発生装置に接続され、高周波信号を電力分配する機能と、この分配した信号の各々に対して経路長差によって所定の経路遅延量を与える機能を共有した一方の給電回路系と、この給電回路系に接続され、この給電回路系から出力した高周波信号を所定の位相量に調整して電力増幅する機能を有する一方の高周波モジュール系と、この一方の高周波モジュール系から出力した増幅高周波出力電波を空間へ放射する電波放射系と、空間から高周波入力電波を受信する電波受信系と、この電波受信系から入力した高周波入力電波を電力増幅して所定の位相量に調整する他方の高周波モジュール系と、この他方の高周波モジュール系から出力した遅延高周波入力信号に対して、経路長差によって所定の遅延量を与える機能と、これらの遅延量が与えられた高周波信号を電力合成する機能を備えた他方の給電回路系と、この他方の給電回路系から出力される、電力合成された遅延高周波出力信号を入力する受信処理系とを備える。
【手続補正５】
【補正対象書類名】図面
【補正対象項目名】図１
【補正方法】変更
【補正の内容】
【図１】
2004266772.tif 000001